(57)【要約】【課題】経路に木粉を堆積させることが無く、生材でも効率よく木屑を粉砕することが可能な粉砕装置を提供する。【解決手段】駆動装置１６により回転駆動される駆動軸２０と、駆動軸２０に連結された回転内羽根４８と、多数の透孔が形成され回転内羽根４８の外周縁と内面が近接して円筒形に形成され駆動軸２０に対して同軸に設けられたスクリーン４０を有する。駆動軸２０に対して回転内羽根４８と同軸に連結され、スクリーン４０の外側を回転可能に設けられた回転外羽根３６を備える。回転内羽根４８とスクリーン４０及び回転外羽根３６を囲むように収容したケーシング２８と、ケーシング２８の中央部に設けられ木屑を吸引する吸引口５６と、ケーシング４０の外周部に設けられ粉砕された木粉を吹き出す吐出口３０を備える。【選択図】図１
2007167822.tif 000002
【特許請求の範囲】
【請求項１】
木屑を吸引して粉砕する粉砕装置において、駆動装置により回転駆動される駆動軸と、前記駆動軸に連結された回転内羽根と、多数の透孔が形成され前記回転内羽根の外周縁と内面が近接して円筒形に形成され、前記駆動軸に対して前記回転内羽根とともに同軸に設けられたスクリーンと、前記駆動軸に対して前記回転内羽根と同軸に連結され、前記スクリーンの外側を回転可能に設けられた回転外羽根と、前記回転内羽根と前記スクリーン及び前記回転外羽根を囲むように収容したケーシングと、このケーシングの中央部に設けられ木屑を吸引する吸引口と、前記ケーシングの外周部に設けられ粉砕された木粉を吹き出す吐出口とを備えたことを特徴とする粉砕装置。
【請求項２】
前記回転内羽根の外周縁部に粉砕刃を備え、前記スクリーンは、複数のスクリーン板が連結部により連結されて構成され、前記連結部の内向面には、前記粉砕刃の回転軌跡に近接した固定刃が取り付けられていることを特徴とする請求項１記載の粉砕装置。
【請求項３】
前記回転外羽根の側面を覆うケーシングのカバーに、前記回転外羽根を点検可能に形成された複数の点検窓が設けられていることを特徴とする請求項１または２記載の粉砕装置。
【発明の詳細な説明】
【技術分野】
【０００１】
この発明は、鉋屑などの薄い切り屑を、ケーシング内に設けられたファンにより吸引しながら粉砕する粉砕装置に関する。
【背景技術】
【０００２】
従来、製材所などで、原木から剥いだ表皮の屑や、材木に鉋を掛けた際に発生する鉋屑などの木屑は、産業廃棄物として焼却廃棄されていた。しかし、近年では、焼却に代えて細かく粉砕してキノコの菌床に利用したり、圧縮して合成樹脂で固めたりして建材などの資材に利用されている。この木屑などを再利用可能にするために、細かく粉砕する粉砕装置が使用されている。例えば、特許文献１では、スクリーンに固定刃を設け、スクリーン内で回転する回転羽根の端縁部に設けられた可動刃により粉砕する粉砕機が開示されている。また、特許文献２では、回転羽根の回転により吸引口から吸引された木屑が、スクリーンと回転羽根端縁部に設けられた回転刃の間へかみ込まれるのを防止しつつ、被粉砕物を粉砕する粉砕装置が開示されている。
【特許文献１】特開平１０−１５４１３号公報
【特許文献２】特開２００２−１７７８０４号公報
【発明の開示】
【発明が解決しようとする課題】
【０００３】
上記従来の技術の粉砕装置では、木屑などの被粉砕物を吸引して、回転羽根の端縁部に設けられた粉砕刃と、回転羽根を包囲するスクリーンに設けられた固定刃とにより粉砕している。そして、粉砕された木粉はケーシング内の回転羽根が発生する気流によりスクリーンに設けられた複数の孔から吐き出され、ケーシングの吐出経路を経て吐出口より吹き出されている。
【０００４】
しかし、水分を多く含む生材などの木屑では、粉砕された木粉が湿っているため、スクリーンの孔を経てうまく吐出口から吹き出されずに、スクリーンや吐出経路内壁に付着し易いものであった。そして、徐々に木粉が堆積を始めると、吐出経路を塞ぎ、効率が低下したり、吐出経路が詰まったりする問題があった。また、この詰まりを防止するため、別途吸引ファンを吐出口近傍に取り付ける方法もあるが、設備や運用コストが掛かる上、堆積を完全に防ぐことは難しいものであった。
【０００５】
この発明は、上記従来技術の問題に鑑みて成されたもので、経路に木粉を堆積させることが無く、生材でも効率よく木屑を粉砕することが可能な粉砕装置を提供することを目的とする。
【課題を解決するための手段】
【０００６】
この発明は、鉋屑等の木屑を吸引して粉砕する粉砕装置であって、駆動装置により回転駆動される駆動軸と、前記駆動軸に連結された回転内羽根と、多数の透孔が形成され前記回転内羽根の外周縁と内面が近接して円筒形に形成され、前記駆動軸に対して前記回転内羽根とともに同軸に設けられたスクリーンと、前記駆動軸に対して前記回転内羽根と同軸に連結され、前記スクリーンの外側を回転可能に設けられた回転外羽根と、前記回転内羽根と前記スクリーン及び前記回転外羽根を囲むように収容したケーシングと、このケーシングの中央部に設けられ木屑を吸引する吸引口と、前記ケーシングの外周部に設けられ粉砕された木粉を吹き出す吐出口とを備えた粉砕装置である。
【０００７】
前記回転内羽根の外周縁部に粉砕刃を備え、前記スクリーンは、複数のスクリーン板が連結部により連結されて構成され、前記連結部の内向面には、前記粉砕刃の回転軌跡に近接した固定刃が取り付けられている。
【０００８】
さらに、前記回転外羽根の側面を覆うケーシングのカバーに、前記回転外羽根を点検可能に形成された複数の点検窓が設けられている粉砕装置である。
【発明の効果】
【０００９】
この発明の粉砕装置によれば、生材などの木材削り屑を粉砕する場合でも、回転外羽根により確実に粉砕された木粉が吸引されて吐出され、経路が木粉の堆積により詰まることが無く、効率よく木屑を粉砕することが可能なものである。また、スクリーンを分割可能に連結することにより、メンテナンスが容易になり、ランニングコストも低減できるものである。
【発明を実施するための最良の形態】
【００１０】
以下、この発明の粉砕装置の一実施形態について、図１〜図５を基にして説明する。この実施形態の粉砕装置１０は、木屑などの被粉砕物を粉砕する粉砕装置１０として使用される。この粉砕装置１０は、図１等に示すように、例えばＣ型チャンネル鋼材により形成された支持台１２上に、Ｌ型鋼材により各部材が固定されている。まず、支持台１２上には、図１、図２に示すように、モータ１４などの駆動装置１６が設けられている。駆動装置１６の軸にはプーリ１６ａが取り付けられ、駆動ベルト１８により、駆動軸２０に設けられたプーリ１６ｂと連結されている。駆動軸２０は、図１、図３に示すように、支持台１２に設けられた軸受け取付部２２の上面に、２つの軸受け２４により回動自在に支持されている。軸受け２４は、ベアリングを備えたものである。
【００１１】
軸受け取付部２２の側面にはＬ型鋼材により形成されたケーシング支持部２６が設けられ、略円板状のケーシング板２８ａと、ケーシング板２８ａの外周近傍に沿って設けられた側板２８ｂにより形成された略円筒状のケーシング２８が取り付けられている。また、上方へ矩形に開口したダクト状の吐出口３０が、ケーシング板２８ａの接線方向に形成されている。吐出口３０は、吐出経路３２を経てケーシング３２と一体に設けられている。また、ケーシング板２８ａの中心には図示しない軸挿通部である貫通孔が形成され、駆動軸２０が回動自在に挿通されている。
【００１２】
駆動軸２０には、図４（ａ）（ｂ）に示すように、ケーシング板２８ａと平行に位置した回転外羽根３６が同軸状に固定されている。回転外羽根３６は、駆動軸２０が回転円板３６ａの中心に設けられた嵌挿部３６ｂに嵌挿されて固定されている。そして、駆動軸２０から放射状に、回転円板３６ａの表面上で等間隔に回転方向へ一様に僅かに屈曲した羽根３６ｃが複数立設されている。
【００１３】
回転外羽根３６と同軸に、円板状のスクリーン支持部３８がケーシング３２に対して固定されている。スクリーン支持部３８は、中心の軸挿通部３８ａに駆動軸２０が挿通され、ベアリングを介して回動自在に形成されている。また、図４（ａ）に示すように、スクリーン支持部３８の外周近傍に沿って円筒形に形成されたスクリーン４０が、回転外羽根３６内側に、適宜な隙間を空けて設けられている。このスクリーン４０は、例えば、４ｍｍの貫通孔が多数設けられ、円弧状に湾曲させたパンチング材から成る４枚のスクリーン板４０ａから形成されている。また、各スクリーン板４０ａの長手方向の両端部は、図５に示すように、湾曲した円弧の中心方向とは反対方向へ曲げ加工された屈曲部４０ｂが形成されている。そして、屈曲部４０ｂ同士が連結部４６により連結されて円筒状に形成されている。連結部４６は、固定刃４２とその外側から被着可能に形成された被着具４４により構成され、両側の屈曲部４０ｂを各々狭持して、各スクリーン板４０ａが連結されている。また、連結部４６は、同時にスクリーン支持部３８に螺子留めされている。固定刃４２は、スクリーン４０内側面に、固定刃４２の長手方向と平行な２本の凹部により分離された切刃により構成されている。
【００１４】
スクリーン４０の内側には、図４（ｂ）に示すように、回転内羽根４８が設けられている。回転内羽根４８は、円板状に形成された回転円板４８ａの中心に固定筒４８ｄが一体に設けられ、固定筒４８内に駆動軸２０の先端部２０ａが嵌挿されている。先端部２０ａはテーパ状に形成され、同様のテーパ状内面の固定筒４８ｄに緊密に嵌合している。そして、回転内羽根４８は、回転外羽根３６と同軸に取り付けられ駆動軸２０に固定されている。固定筒４８ｄからは、放射状に回転外羽根３６と同じ側に突出して、複数の羽根４８ｃが回転円板４８ａ上に立設されている。また、羽根４８ｃの端縁部には、連結部４６の固定刃４２と近接して位置した粉砕刃５０が螺子などで取り付けられている。
【００１５】
スクリーン４０の外側端縁部には、スクリーン４０と同径に形成された開口部５１が中央に設けられたドーナツ状のカバー５２が取り付けられている。カバー５２には、４つの湾曲した長円状の点検窓５４が形成され、透明な樹脂板などが取り付けられて等間隔に設けられている。カバー５２中央の開口部５１には、外径が開口部５１と同径の内径を有した円筒形の吸引部５４が取り付けられている。形成されている。吸引部５４には、中央の開口部分と同径で、円筒形に形成された吸引口５６が設けられている。
【００１６】
次に、この実施形態の粉砕装置１０の使用方法について説明する。まず、図示しない電源をオンすることによりモータ１４が起動される。そして、モータ１４により、駆動ベルト１８で連結された駆動軸２０が回転駆動される。駆動軸２０の回転により、駆動軸２０に対して同軸に固定された回転外羽根３６及び回転内羽根４８が一体的に回転する。すると、回転内羽根４８より吸引口５６には負圧による吸引力が発生し、吸引口５６から木屑などが吸引される。吸引された木屑は、回転内羽根４８により回転し、遠心力と気流によりスクリーン４０に押しつけられると同時に、スクリーン４０と回転内羽根４８の間で粉砕され、スクリーン４０の目よりも細かい粉砕物はスクリーン４０から外へ抜ける。さらに、スクリーン４０内では、回転外羽根３６の粉砕刃５０と固定刃４２により、細かく粉砕される。そして、粉砕された木屑の粉砕物は、スクリーン４０の目から吹き出される。吹き出された粉砕物は、さらに、回転外羽根３６により攪拌され粉砕されるとともに、遠心力と風圧により外へ吹き出され、吐出経路３２を経て吐出口３０から吐き出される。
【００１７】
この実施形態の粉砕装置１０によれば、生材などの湿った木屑を粉砕した粉砕物でも、回転外羽根３６により吐出経路３２には気流が発生し、吐出口３０へ通じる吐出経路３２に粉砕された木粉が堆積することが無い。また、回転外羽根３６と、回転内羽根４８により、ケーシング２８内にはスクリーン４０を介して中心部から外側へ向かう気流が形成され、スクリーン４０が詰まることなく木屑を粉砕し、吐き出すことが可能なものである。さらに、スクリーン４０が分割可能に連結形成されているため、修復時には、必要な箇所のみ交換可能であり、ランニングコストも低減できるものである。
【００１８】
なお、この発明の粉砕装置は上記実施形態に限定されるものではなく、回転外羽根及び回転内羽根の羽根数は、適宜設定可能なものである。また、スクリーンを形成するスクリーン板の分割数は適宜設定可能なものである。さらに、スクリーン板に設けられた貫通孔の大きさは、粉砕物の大きさや粉砕物の用途に応じて適宜設定可能なものである。さらに、各部材の形状や素材など適宜変更可能である。
【図面の簡単な説明】
【００１９】
【図１】この発明の一実施形態の粉砕装置を示す上面図である。
【図２】この実施形態の粉砕装置を示す部分破断正面図である。
【図３】この実施形態の粉砕装置を示す右側面図である。
【図４】この実施形態の粉砕装置の回転内羽根及び回転外羽根を示す正面図（ａ）と、右側面図（ｂ）である。
【図５】この実施形態の粉砕装置の連結部およびその周辺を示す部分拡大図である。
【符号の説明】
【００２０】
１０  粉砕装置
１６  駆動装置
２０  駆動軸
２８  ケーシング
３０  吐出口
３６  回転外羽根
４０  スクリーン
４０ａ  スクリーン板
４２  固定刃
４６  連結部
４８  回転内羽根
５０  粉砕刃
５４  点検窓
５６  吸引口
【図１】
2007167822.tif 000003
【図２】
2007167822.tif 000004
【図３】
2007167822.tif 000005
【図４】
2007167822.tif 000006
【図５】
2007167822.tif 000007